(57)【特許請求の範囲】
【請求項１】
複数の収納部材同志が組み合わされて成る収納体であって、前記収納部材は、上面となる第一面、背面となる第二面、底面となる第三面、左側面となる第四面、右側面となる第五面及び正面位置の開口部で構成されるボックス状体であり、一の収納部材の前記第一面、第二面及び第三面のみには、複数の凹部が設けられ、他の収納部材の前記第一面、第二面及び第三面のみには、前記一の収納部材と突き合わせた際、前記凹部と対向状態で合致し空所が形成される凹部が設けられ、前記凹部が設けられた前記一の収納部材の前記第一面、第二面及び第三面のいずれかの面であって水平とした面と、前記凹部が設けられた前記他の収納部材の前記第一面、第二面及び第三面のいずれかの面であって水平とした面とを突き合わせて形成される前記空所には前記一の収納部材と前記他の収納部材とが左右方向へずれることを防止するように係止される球状部材が配設されており、更に、前記他の収納部材の第二面の周縁には前記一の収納部材の前記開口部の周縁に当接する凹段部が形成されていることを特徴とする収納体。
【請求項２】
請求項１記載の収納体において、前記第一面、第二面、第三面、第四面、第五面及び開口部は方形であることを特徴とする収納体。
【請求項３】
請求項１，２いずれか１項に記載の収納体において、前記球状部材としてガラス球を採用したことを特徴とする収納体。
【請求項４】
請求項１〜３いずれか１項に記載の収納体において、前記収納部材は木製であることを特徴とする収納体。
【発明の詳細な説明】
【０００１】
【発明の属する技術分野】
本発明は、複数の収納部材同志を連結して成る収納体に関するものである。
【０００２】
【従来の技術及び発明が解決しようとする課題】
従来から、複数の収納部材同士を連結して成る収納体（以下、従来例）が提案されており、この従来例は、ユーザーの好みに応じてブロックのように自由に組み合わせて連結することができる。
【０００３】
ところで、この従来例に係る収納部材同志の連結構造としては、この収納部材同志の突き合わせ面に形成されたボス穴に円柱状のボスを圧入嵌挿させて連結するボス連結構造が一般的である。
【０００４】
ところが、このボス連結構造は、誤った部分にボスを挿入してしまった場合や、収納部材の組み合わせを変更しようとする場合など、一度ボス穴に嵌めてしまったボスを抜くのは大変である。一般的にボスがボス穴から容易に抜け出ないようにボス穴は小さめに設定されている。ボス穴が大きすぎるとボスがぐらついて堅固な連結ができないという問題もある。
【０００５】
従って、この点が収納体を量産する上での妨げとなっている。
【０００６】
本発明は、上述の問題点を解消し、極めて商品価値の高い画期的な収納体を提供する。
【０００７】
【課題を解決するための手段】
添付図面を参照して本発明の要旨を説明する。
【０００８】
複数の収納部材１同志が組み合わされて成る収納体であって、前記収納部材１は、上面となる第一面１ａ、背面となる第二面１ｂ、底面となる第三面１ｃ、左側面となる第四面１ｄ、右側面となる第五面１ｅ及び正面位置の開口部１ｆで構成されるボックス状体であり、一の収納部材１の前記第一面１ａ、第二面１ｂ及び第三面１ｃのみには、複数の凹部２Ａが設けられ、他の収納部材１の前記第一面１ａ、第二面１ｂ及び第三面１ｃのみには、前記一の収納部材１と突き合わせた際、前記凹部２Ａと対向状態で合致し空所Ｓが形成される凹部２Ｂが設けられ、前記凹部２Ａが設けられた前記一の収納部材１の前記第一面１ａ、第二面１ｂ及び第三面１ｃのいずれかの面であって水平とした面と、前記凹部２Ｂが設けられた前記他の収納部材１の前記第一面１ａ、第二面１ｂ及び第三面１ｃのいずれかの面であって水平とした面とを突き合わせて形成される前記空所Ｓには前記一の収納部材１と前記他の収納部材１とが左右方向へずれることを防止するように係止される球状部材３が配設されており、更に、前記他の収納部材１の第二面１ｂの周縁には前記一の収納部材１の前記開口部１ｆの周縁に当接する凹段部４が形成されていることを特徴とする収納体に係るものである。
【０００９】
また、請求項１記載の収納体において、前記第一面１ａ、第二面１ｂ、第三面１ｃ、第四面１ｄ、第五面１ｅ及び開口部１ｆは方形であることを特徴とする収納体に係るものである。
【００１０】
また、請求項１，２いずれか１項に記載の収納体において、前記球状部材３としてガラス球を採用したことを特徴とする収納体に係るものである。
【００１１】
また、請求項１〜３いずれか１項に記載の収納体において、前記収納部材１は木製であることを特徴とする収納体に係るものである。
【００１２】
【発明の作用及び効果】
本発明は、複数の収納部材１同志の左右方向へずれることが防止された係止状態は、隣接する収納部材１夫々の所定の面に設けられた凹部２同志を合致させることにより形成される空所Ｓに球状部材３を配設することで得られる。
【００１３】
具体的には、例えば複数の収納部材１同志を積層状態とする場合、まず、下方の収納部材１に設けられた凹部２に球状部材３を配設し、この球状部材３に上方に配設される収納部材１に設けられた凹部２を被嵌しながら上方の収納部材１を積層状態とする。従って、対向する凹部２同志で形成される空所Ｓに球状部材３が配設されることにより、積層された収納部材１同志は左右方向へずれることが防止された係止状態となる。
【００１４】
従って、前述した従来例のような煩わしさは無く、収納部材１同志の左右方向へずれることが防止された係止状態が簡易に得られるから、ユーザーの好みに合った状態の収納体が簡易且つ確実に得られることになり、しかも、収納部材１同志の係止状態の解除も非常に簡易に行えることになるから、組み合わせを変更する作業も非常に簡易に行えることになり、そして、簡易構造故にコスト安にして量産性に秀れたものとなる。
【００１５】
以上のように、本発明は、従来にない画期的な作用効果を発揮し、極めて商品価値の高いものになる。
【００１６】
【発明の実施の形態】
図面は本発明の一実施例を図示したものであり、以下に説明する。
【００１７】
本実施例は、複数の収納部材１同志を連設して成る収納体Ａであって、所定の面に凹部２が設けられた複数の収納部材１と、隣接する収納部材１を連設するものであり、隣接する収納部材１の前記凹部２同志を合致させることにより形成される空所Ｓに配設される球状部材３とから成るものである。
【００１８】
具体的には、収納部材１は、図１〜７に図示したように適宜な木製の部材を形成したものであり、５つの方形面（第一面１ａ、第二面１ｂ、第三面１ｃ、第四面１ｄ、第五面１ｅ）を有して１つの開口部１ｆを有するボックス状に構成されている。尚、本実施例では、収納体Ａを構成する複数の収納部材１としてサイズ違いの収納部材１を設けている（各収納体Ａは、ＣＤやＤＶＤを収納し得る寸法に設定されている。）。
【００１９】
また、この各収納部材１は、その第一面１ａ、第二面１ｂ、第三面１ｃ夫々に複数の凹部２が設けられている。
【００２０】
具体的には、この凹部２は、平面視円形状にして凹湾曲状に形成されており、一の収納部材１と他の収納部材１とを突きあわせた際、この一の収納部材１に形成される凹部２（２Ａ）と、他の収納部材１に形成される凹部２（２Ｂ）とが対向状態となり、この凹部２同志で球状の空所Ｓが形成されるように構成されている。
【００２１】
また、この凹部２は、後述する球状部材３に被嵌係止し得る程度の深さ・大きであれば良く、要は、上下に積層される収納部材１同志が左右方向にずれるのを防止する程度で良く（完全に合致する必要はなく）、よって、球状部材３の製作精度を考慮して若干大きめに設定されており、それだけ従来例のようなボス連結構造に比して精度にこだわる必要が無く量産が可能となる。
【００２２】
また、本実施例では、この凹部２同志で形成される空所Ｓには球状部材３が配設される。
【００２３】
この球状部材３としてはガラス球（ビー玉）が採用され、この球状部材３の径と、この球状部材３が配設される空所Ｓを形成する凹部２の深さ・湾曲度合いは適宜設定されている。
【００２４】
従って、この球状部材３を介して一の収納部材１と他の収納部材１とは水平方向へのずれ動が防止された状態で係止されることになり（図４，５参照）、しかも、球状部材３としてガラス球（所謂ビー玉）が採用されるから、ユーザーはカラフルな球状部材３の中から好みの球状部材３を選択することができ、しかも、ガラス球は精度が要求されない分だけ安価で収納体全体がコスト安となり、いつでも入手できるものであるから仮に紛失しても変わりのもので直ちに代用することができる。
【００２５】
また、本実施例は、図８に図示したように各収納部材１に係る第二面１ｂの周縁角部に凹段部４が形成されており、この凹段部４は他の収納部材１の開口部１ｆに嵌合状態に配設するための構成である（図９，１０参照）。
【００２６】
符号５は収納部材１内を仕切るための仕切り体である。
【００２７】
本実施例は上述のように構成したから、収納部材１同志の連設に際して前述した従来例のような煩わしさは無く、左右方向へずれることが防止された係止状態が簡易に得られるから、ユーザーの好みに合った状態の収納体が簡易且つ確実に得られることになり、しかも、収納部材１同志の係止状態の解除も非常に簡易に行えることになるから、組み合わせを変更する作業も非常に簡易に行えることになり、そして、簡易構造故にコスト安にして量産性に秀れたものとなる。
【００２８】
尚、本発明は、本実施例に限られるものではなく、各構成要件の具体的構成は適宜設計し得るものである。
【図面の簡単な説明】
【図１】  本実施例を示す分解斜視図である。
【図２】  本実施例を示す斜視図である。
【図３】  本実施例を示す正面図である。
【図４】  本実施例に係る要部を説明する側断面図である。
【図５】  本実施例に係る要部を説明する側断面図である。
【図６】  本実施例を示す分解斜視図である。
【図７】  本実施例を示す斜視図である。
【図８】  本実施例を示す分解斜視図である。
【図９】  本実施例を示す斜視図である。
【図１０】  本実施例を示す正断面図である。
【図１１】  本実施例に係る収納部材を示す斜視図である。
【符号の説明】
Ｓ  空所
１  収納部材
１ａ  第一面
１ｂ  第二面
１ｃ  第三面
１ｄ  第四面
１ｅ  第五面
１ｆ  開口部
２  凹部
２Ａ  凹部
２Ｂ  凹部
３  球状部材
４  凹段部
【図１】
0004002494.tif 000002
【図２】
0004002494.tif 000003
【図３】
0004002494.tif 000004
【図４】
0004002494.tif 000005
【図５】
0004002494.tif 000006
【図６】
0004002494.tif 000007
【図７】
0004002494.tif 000008
【図８】
0004002494.tif 000009
【図９】
0004002494.tif 000010
【図１０】
0004002494.tif 000011
【図１１】
0004002494.tif 000012